(57)【要約】【課題】塊状に形成された米飯加工品を圧迫しないように包装しても、米飯とともに包装したシート状海苔が湿るのを防止し、シート状海苔本来の食感や味を維持することのできる米飯加工品用包装体を提供することを課題とする。【解決手段】外フィルムと、該外フィルムと対向した内フィルムとで構成され、外フィルムと内フィルムとの間にシート状海苔を収容可能に構成されてなり、内フィルムは、互いの一端側同士が重なり合うように配置された一対のフィルム片で構成されてなり、前記内フィルムを内側にして塊状に形成された米飯加工品を包装する米飯加工品用包装体であって、少なくとも何れか一方のフィルム片における一端側には、対向面間からなる嵌込部が設けられてなるとともに、他方のフィルム片における一端側には、前記嵌込部に嵌め込まれる被嵌込部が設けられてなることを特徴とする。【選択図】          図１
2004154064.tif 000002
【特許請求の範囲】
【請求項１】
外フィルムと、該外フィルムと対向した内フィルムとで構成され、外フィルムと内フィルムとの間にシート状海苔を収容可能に構成されてなり、内フィルムは、互いの一端側同士が重なり合うように配置された一対のフィルム片で構成されてなり、前記内フィルムを内側にして塊状に形成された米飯加工品を包装する米飯加工品用包装体であって、少なくとも何れか一方のフィルム片における一端側には、対向面間からなる嵌込部が設けられてなるとともに、他方のフィルム片における一端側には、前記嵌込部に嵌め込まれる被嵌込部が設けられてなることを特徴とする米飯加工品用包装体。
【請求項２】
前記嵌込部は、一方のフィルム片の一端側が折り返されて形成されてなる請求項１記載の米飯加工品用包装体。
【請求項３】
前記嵌込部は、一方のフィルム片の他端側から一端側に向けて被嵌込部を嵌め込み可能に構成されてなる請求項１又は２記載の米飯加工品用包装体。
【請求項４】
前記被嵌込部は、他方のフィルム片の一端部で構成されるとともに、前記嵌込部に嵌め込み可能なように、他方のフィルム片の一端側が折り返されて形成されてなる請求項３記載の米飯加工品用包装体。
【請求項５】
前記嵌込部は、一方のフィルムの一端側から他端側に向けて前記被嵌込部を嵌め込み可能に構成されるとともに、前記被嵌込部は、他方のフィルム片の一端部で構成されてなる請求項１又は２記載の米飯加工品用包装体。
【発明の詳細な説明】
【０００１】
【発明の属する技術分野】
本発明は、シート状海苔と塊状に形成されたおにぎり等の米飯加工品とを分離した状態で包装する米飯加工品用包装体に関する。
【０００２】
【従来の技術】
従来から、おにぎり等の如き塊状に形成された米飯加工品は、シート状の米飯加工品用包装体によって包装された状態で、市場において流通されている。
【０００３】
該米飯加工品用包装体は、図９に示す如く、平面視長方形状の外フィルム１００と、該外フィルム１００と対向配置された内フィルム１１０と、外フィルム１００と内フィルム１１０との間に介装されたシート状海苔１２０とで構成されている。
【０００４】
前記外フィルム１００の一方の面には、短手方向の略中央部において長手方向に延びるようにカットテープ１３０が貼着されており、該カットテープ１３０を引っ張ることで、該外フィルム１００を長手方向に切断して短手方向に二分割できるようになっている。
【０００５】
前記内フィルム１１０は、平面視略長方形状の一対のフィルム片１１０ａ，１１０ｂで構成されており、該一対のフィルム片１１０ａ，１１０ｂは、短手方向の互いの一端部が重ね合わされて配置され、前記外フィルム１００の外形と一致した外郭を形成している。
【０００６】
そして、外フィルム１００と内フィルム１１０との間にシート状海苔１２０を介装した状態で、カットテープ１３０の端部に対応する部分を除いて、上記構成の外フィルム１００及び内フィルム１１０の外周縁部同士が溶着されている（図９においてクロスハッチングが付された領域が貼着されている）。
【０００７】
このように構成された米飯加工品用包装体は、内フィルム１１０（フィルム片１１０ａ，１１０ｂ）上におにぎり等の塊状に形成された米飯加工品Ｒを配置し、該米飯加工品Ｒの形状に即して適宜折り曲げ、該折り曲げ部分を粘着テープや熱シール等で貼着することで、折り曲げた部分の復元を防止して米飯加工品Ｒを包装するようになっている。
【０００８】
そして、米飯加工品Ｒとシート状海苔１２０とを一体化させて食すには、まず、カットテープ１３０を長手方向に引っ張って外フィルム１００を切断し、その切断により分断された一方の外フィルム１００を切断方向に対して略直交方向に引っ張る。そうすると、一方の外フィルム１００とともに一方のフィルム片１１０ａが引き抜かれ、米飯加工品Ｒとシート状海苔１２０の半分が一体化するようになる。さらに、分断された他方の外フィルム１００を引っ張ると、他方のフィルム片１１０ｂが引き抜かれ、残りのシート状海苔１２０も米飯加工品Ｒと一体化する。これにより、シート状海苔１２０とともに米飯加工品Ｒを食すことができる。
【０００９】
ところで、これまで市場に流通していた塊状に形成されたおにぎり等の米飯加工品Ｒは、大きな外力を加えて堅く形成されていたが、近年において、米飯加工品Ｒの本来の旨味等を重視して米飯加工品Ｒをふっくらした（柔らかな）状態で塊状に形成して欲しいという市場の要請が出て来ている。
【００１０】
そのため、上述の如き塊状に形成された米飯加工品Ｒの形状に即した包装形態では、包装時に米飯加工品用包装体によって米飯加工品Ｒを圧迫してしまい、米飯加工品Ｒをふっくらした状態で塊状に形成しても、該米飯加工品Ｒが堅くなってしまうといった問題があった。
【００１１】
そこで、図１０に示す如く、米飯加工品Ｒを上記構成の米飯加工品用包装体の内フィルム１１０（フィルム片１１０ａ，１１０ｂ）上に配置した状態で、米飯を圧迫することのないように、内フィルム１１０を内側にして該米飯加工品用包装体を長手方向に二つ折りにし（湾曲させ）、対向する周縁部同士を熱溶着することで、該米飯加工品Ｒを包装する包装形態が提案されている。
【００１２】
このようにすることで、塊状に形成された米飯加工品Ｒを圧迫することなく包装することができ、従来と何ら変わることなく、シート状海苔１２０と米飯加工品Ｒとを容易に一体化させて該米飯加工品Ｒを食すことができる。
【００１３】
【特許文献１】
特開２００１−１２０２０１号公報
【００１４】
【発明が解決しようとする課題】
しかしながら、上記包装形態は、米飯加工品Ｒを圧迫しないように塊状に形成された米飯加工品Ｒと内フィルム１１０との間に空間を形成するように包装するため、上記構成の米飯加工品用包装体では、他方のフィルム片１１０ｂの一端部（重ね合わされた部分が米飯加工品Ｒ側に位置するフィルム片）が米飯加工品Ｒ側に変移して、一方のフィルム片１１０ａから離間し、一対のフィルム片２ａ，２ｂの一端部間に隙間が形成されてしまう場合がある。そうすると、米飯加工品Ｒに含まれる水分（湿気）が、一対のフィルム片１１０ａ，１１０ｂの重ね合わせ部分（一端部間）を介して外フィルム１００とフィルム片１１０ａ，１１０ｂとの間に流入し、介装されたシート状海苔１２０を湿らせてしまうといった不都合が生じた。
【００１５】
その為、米飯加工品Ｒを食す際に得られるシート状海苔１２０の特有の歯ごたえ等の食感や味が損なわれてしまい、商品価値を低下させてしまうといった問題があった。
【００１６】
そこで、本発明は、斯かる実情に鑑み、塊状に形成された米飯加工品を圧迫しないように包装しても、米飯加工品とともに包装したシート状海苔が湿るのを防止し、シート状海苔本来の食感や味を維持することのできる米飯加工品用包装体を提供することを課題とする。
【００１７】
【課題を解決するための手段】
本発明にかかる米飯加工品用包装体は、請求項１記載の如く、外フィルムと、該外フィルムと対向した内フィルムとで構成され、外フィルムと内フィルムとの間にシート状海苔を収容可能に構成されてなり、内フィルムは、互いの一端側同士が重なり合うように配置された一対のフィルム片で構成されてなり、前記内フィルムを内側にして塊状に形成された米飯加工品を包装する米飯加工品用包装体であって、少なくとも何れか一方のフィルム片における一端側には、対向面間からなる嵌込部が設けられてなるとともに、他方のフィルム片における一端側には、前記嵌込部に嵌め込まれる被嵌込部が設けられてなることを特徴とする。
【００１８】
上記構成の米飯加工品用包装体によれば、少なくとも何れか一方のフィルム片における一端側には、対向面間からなる嵌込部が設けられてなるとともに、他方のフィルム片における一端側には、前記嵌込部に嵌め込まれる被嵌込部が設けられているので、塊状に形成された米飯加工品を圧迫しないように、内フィルムを内側にして塊状に形成された米飯加工品を包装しても、一方のフィルム片の嵌込部に他方のフィルム片の被嵌込部が嵌め込まれた状態（前記対向面間に被嵌込部が介在した状態）が維持され、重ね合わされた一対のフィルム片間に隙間ができるのを防止することができ、包装した米飯加工品の水分が該一対のフィルム片間を介して、内フィルムと外フィルムとの間に収容したシート状海苔に到達するのを防止することができる。
【００１９】
つまり、一方のフィルム片の嵌込部に他方のフィルム片の被嵌込部が嵌め込まれることにより、米飯加工品を包装した際の米飯加工品用包装体の変形で一対のフィルム片のうちの何れか一方が、他方のフィルム片から厚み方向に離間しようとしても、他方のフィルム片の被嵌込部が、一方のフィルム片の嵌込部を形成する対向面の少なくとも何れか一方の面に接触するので、一対のフィルム片の重ね合わせた部分が相対的に離間するのを防止することができる。これにより、水分の流通を許容する隙間が、一対のフィルム片の嵌め合わせ部分（重ね合わせ部分）に形成されるのを防止することができ、シート状海苔が米飯加工品の水分で湿ってしまうのを防止することができる。したがって、米飯加工品を食す際には、シート状海苔本来の触感を楽しむことができる。
【００２０】
また、請求項２記載の如く、前記嵌込部は、一方のフィルム片の一端側が折り返されて形成されてもよい。このようにすれば、一端側のフィルム片が折り返されることにより、対向した面間が嵌込部を形成することとなるので、嵌込部を形成するのに別部材（例えば、別フィルム）を用意することなく容易に形成することができる。
【００２１】
さらに、請求項３記載の如く、前記嵌込部は、一方のフィルム片の他端側から一端側に向けて被嵌込部を嵌め込み可能に構成されてもよい。このようにすれば、他方のフィルム片の被嵌込部が、一方のフィルム片側から該他方のフィルム片に向けて嵌め込まれた状態となり、一対のフィルム片の一端側同士が噛み合った状態となる。これにより、米飯を包装した際に一方のフィルム片が他方のフィルム片から離間するのを確実に防止することができ、米飯加工品からの水分が流通する隙間が形成されるのを確実に防止することができる。
【００２２】
この場合、請求項４記載の如く、前記被嵌込部は、他方のフィルム片の一端部で構成されるとともに、前記嵌込部に嵌め込み可能なように、他方のフィルム片の一端側が折り返されて形成されてもよい。このようにすれば、一方のフィルム片側から該他方のフィルム片に向けて嵌め込み可能な被嵌込部を、別部材（例えば、別フィルム）を用意することなく容易に形成することができる。
【００２３】
また、請求項５記載の如く、前記嵌込部は、一方のフィルムの一端側から他端側に向けて前記被嵌込部を嵌め込み可能に構成されるとともに、前記被嵌込部は、他方のフィルム片の一端部で構成されてもよい。このようにすれば、一方のフィルム片の一端側に嵌込部を形成するだけでよく、生産効率を高めることができる。
【００２４】
【発明の実施の形態】
以下、本発明の一実施形態にかかる米飯加工品用包装体について、添付図面を参照して説明する。
【００２５】
本実施形態にかかる米飯加工品用包装体は、図１に示す如く、一枚の外フィルム１と、該外フィルム１に対向配置された内フィルム２とで構成されており、前記外フィルム１及び内フィルム２間には、シート状海苔３が介装されている。
【００２６】
前記外フィルム１は、平面視略長方形状の樹脂フィルムで構成されている。かかる外フィルム１には、該外フィルム１を短手方向に二分する切断手段が設けられている。本実施形態においては、切断手段として、外フィルム１の一方の面に対し、短手方向略中央部に位置して長手方向に延びるように貼着された一対のカットテープ４，４が採用されている。具体的には、一対のカットテープ４，４は、外フィルム１の短手方向に所定間隔を有し、該外フィルム１の一方の面に長手方向の全長に亘って平行に貼着されている。さらに、包装時においてカットテープ４，４の端部の端部を把持し易いように、前記外フィルム１の長手方向の端部における略中央部には、所定間隔を有して一対の切り込みＣが設けられており、該一対の切り込みＣ間に前記一対のカットテープ４，４の端部が介在するようになっている。換言すれば、切り込みＣは、カットテープ４，４の端部に沿って形成されている。なお、切断手段は、カットテープに代えてミシン目などの切断線等であってもよい。
【００２７】
前記内フィルム２は、平面視略長方形状をなす一対のフィルム片２ａ，２ｂで構成されている。
【００２８】
一方のフィルム片２ａは、他方のフィルム片２ｂの後述する被嵌込部６を嵌め込む嵌込部５を短手方向の一端側に有している。該嵌込部５は、短手方向の一端側（一端部）が、他方のフィルム片２ｂ側に一回折り返されることにより形成されている。具体的には、嵌込部５は、一方のフィルム片２ａにおける一端部の折り返しにより対向した面間に形成されている。このように対向面間に形成された嵌込部５は、長手に延びる開口を有している。該開口は、一方のフィルム片２ａの他端側に形成されており、前記被嵌込部６が一方のフィルム片２ａの他端側から一端側に向けて嵌め込まれるようになっている。
【００２９】
他方のフィルム片２ｂは、短手方向の一端側に前記嵌込部５に嵌め込まれる前記被嵌込部６を有している。該被嵌込部６は、他方のフィルム片２ｂの一端部によって形成されている。
【００３０】
該他方のフィルム片２ｂは、前記被嵌込部６を前記嵌込部５に嵌め込むことができるように、短手方向の一端部（一端側）、即ち被嵌込部６が前記一方のフィルム片２ａ側に一回折り返されている。
【００３１】
このように構成された一対のフィルム片２ａ，２ｂは、互いの短手方向の一端側同士を重ね合わされるように、一方のフィルム片２ａの嵌込部５に他方のフィルム片２ｂの被嵌込部６が嵌め込まれた状態（嵌込部５を形成する対向面に被嵌込部６が挟まれた状態）で配置されている。この状態で、一対のフィルム片２ａ，２ｂ（内フィルム２）は、前記外フィルム１と略一致した外郭を形成するようになっている。
【００３２】
このように一対のフィルム片２ａ，２ｂが配置されることで、本実施形態における嵌込部５を形成する一方のフィルム片２ａの一端部は、他方のフィルム片２ｂの一端側に嵌め込まれる被嵌込部でもあり、また他方のフィルム片２ｂの一端部は、一方のフィルム片２ａの一端部を嵌め込む嵌込部を形成している状態となっており、互いの一端側同士が噛み合った状態となる。
【００３３】
そして、このように一対のフィルム片２ａ，２ｂが配置されて形成された内フィルム２は、外フィルム１と該内フィルム２との間にシート状海苔３を配置した状態で、外周縁部が外フィルム１の外周縁部と熱溶着され、外周縁部に溶着部７が形成される。具体的には、外フィルム１及び内フィルム２の短手方向の両端縁部同士は、長手方向に所定間隔で非溶着部９を形成するように溶着されて長手方向の溶着部７が形成されており、前記非溶着部９を介して外フィルム１と内フィルム２との間に介在する気体を外部に放出することができるようになっている。また、外フィルム１及び内フィルム２の長手方向の両端部同士は、カットテープ４，４の端部が内フィルム２に溶着されるのを防止すべく、両端縁のそれぞれから所定寸法内側に位置して短手方向に溶着されて短手方向の溶着部７が形成されており、開封時に外フィルム１の長手方向の端部とともに、カットテープ４，４の端部を把持できるようになっている。
【００３４】
さらに、外フィルム１、及び内フィルム２の長手方向に所定間隔を有して前記溶着部７から内側に向けて、外フィルム１、及び一対のフィルム片２ａ，２ｂを更に部分的に溶着して海苔位置決め溶着部８を形成し、外フィルム１、と一対のフィルム片２，２との間に介装したシート状海苔３が内部で不用意に移動するのを防止し得るようになっている。
【００３５】
上記構成の米飯加工品用包装体で塊状に形成された米飯加工品Ｒを包装するには、内フィルム２（フィルム片２ａ，２ｂ）上に、塊状に形成された米飯加工品Ｒ（本実施形態においては三角おにぎり）を配置する。そして、この状態で、三角おにぎりＲを該米飯加工品用包装体で圧迫しないように、内フィルム２を内側にして長手方向（フィルム片２ａ，２ｂの長手の一端）が凹状になるよう該米飯包装体自身を湾曲させ、図２の如く、対向する溶着部７同士を更に熱溶着することで、三角おにぎりＲの包装が完了することとなる。なお、この状態においては、三角おにぎりＲの包装に伴う熱溶着により、非溶着部９が溶着されて塞がれた状態となっている。
【００３６】
このように三角おにぎりＲを包装した米飯加工品用包装体は、図３に示す如く、一方のフィルム片２ａの嵌込部５に、他方のフィルム片２ｂの被嵌込部６が嵌め込まれた状態が維持されている。つまり、三角おにぎりＲを包装した状態で、一対のフィルム片２ａ，２ｂのそれぞれの一端側の互いに噛み合った状態が維持されている。これにより、包装された三角おにぎりＲを運搬したり、把持したりしても、一対のフィルム片２ａ，２ｂの一方が他方に対して離間して、重なり合った一対のフィルム片２ａ，２ｂ間に隙間が形成されるのを防止することができる。したがって、包装された三角おにぎりＲの水分がシート状海苔３に到達するのが防止され、これによりシート状海苔３の湿りが防止されることとなる。
【００３７】
そして、三角おにぎりＲとともにシート状海苔３を食すには、図４に示す如く、▲１▼一対の切り込みＣ間に位置するカットテープ４，４及び外フィルム１の端部を長手方向に引っ張ることにより、外フィルム１が長手方向に切断されて短手方向に二分割される。そして、▲２▼分割された一方の外フィルム１ａ（好ましくは、一端側が重ね合わされた状態の一対のフィルム片２ａ，２ｂのうち、外フィルム１側の一方のフィルム片２ａと溶着されている一方の外フィルム１ａ）を引っ張ると、一方のフィルム片２ａの嵌込部５を形成した一端部が他方のフィルム片２ｂの被嵌込部６上を滑って移動し、嵌込部５の形態が崩れ、分割された一方の外フィルム１ａとともに、一方のフィルム片２ａを取り外すことができる。
【００３８】
この状態で、シート状海苔３の半分（短手方向の半分）が、三角おにぎりＲと一体化することとなる。そして、分割された他方の外フィルム１ｂも、同様に外フィルム１の切断方向と直交する方向に引っ張ることで、他方のフィルム片２ｂとともに、該他方の外フィルム１ｂが取り除かれ、残り半分のシート状海苔３が三角おにぎりＲと一体化することとなり、シート状海苔３が巻かれた三角おにぎりＲを食すことができる。
【００３９】
以上構成の米飯加工品用包装体によれば、一対のフィルム片２ａ，２ｂのうち一方のフィルム片２ａにおける一端側に嵌込部５が設けられるとともに、他方のフィルム片２ｂにおける一端側に前記嵌込部５に嵌め込む被嵌込部６が設けられているので、三角おにぎりＲの圧迫を防止すべく、内フィルム２と三角おにぎりＲとの間に隙間を形成し、且つ内フィルム２の長手方向が凹状となるように、該三角おにぎりＲを包装しても、嵌込部５と被嵌込部６との嵌め合わせにより、何れか一方のフィルム片２ａ，２ｂの一端側と他方のフィルム片２ａ，２ｂの一端側とが離間せず、一対のフィルム片２ａ，２ｂ間に隙間が形成されるのを防止することができる。これにより、外フィルム１と内フィルム２との間に介装されたシート状海苔３に三角おにぎりＲの水分が到達せず、該シート状海苔３とともに三角おにぎりＲを食す際に、シート状海苔３の本来の食感や味を楽しむことができる。
【００４０】
また、他方のフィルム片２ｂの一端部（被嵌込部６）を、一方のフィルム片２ａ側から他方のフィルム片２ｂ側に向けて嵌め込めるように、一方のフィルム片２ａの嵌込部５を形成したので、三角おにぎりＲの包装時において、一対のフィルム片２ａ，２ｂの一端側が互いに噛み合った状態で維持することができ、各フィルム片２ａ，２ｂ同士が離間（隙間の形成）するのをいっそう確実に防止することができる。これにより、包装済みの三角おにぎりＲを乱暴に運搬したり取り扱ったりしても、一対のフィルム片２ａ，２ｂ間に隙間ができるのを防止することができる。
【００４１】
さらに、一対のフィルム片２ａ，２ｂのそれぞれの嵌込部５及び被嵌込部６を、各フィルム片２ａ，２ｂ自身により形成するようにしたので、該米飯加工品用包装体を製造するにあたり、低コストで製造することができる。
【００４２】
尚、本発明の米飯加工品用包装体は、上記実施形態に限定されるものではなく、本発明の要旨を逸脱しない範囲内において種々変更を加え得ることは勿論である。
【００４３】
上記実施形態において、該米飯加工品用包装体で包装する対象として三角おにぎりＲを例として挙げたが、これに限定されるものではなく、例えば、丸く形成されたものや、円柱状に形成された米飯加工品であってもよい。すなわち、米飯加工品用包装体で包装する対象は、塊状に形成された米飯加工品であればよい。
【００４４】
上記実施形態において、開封時に外フィルム１を切断する切断手段として、カットテープ４，４を採用したが、これに限定されるものではなく、上述の如く、カットテープ４，４に代えてミシン目等の切断線を設けてもよい。該切断線がミシン目である場合には、該ミシン目を介して内部に気体や湿気が流入するのを防止すべく、ミシン目を覆うように帯状のテープを外フィルム１に貼着することが好ましい。
【００４５】
上記実施形態において、外フィルム１と内フィルム２（一対のフィルム片２ａ，２ｂ）とを別体のフィルムで構成し、互いの外周縁部を溶着することで、米飯加工品用包装体を形成するようにしたが、これに限定されるものではなく、例えば、一端側に嵌込部を形成し、他端側の被嵌込部を形成した所定サイズに設定された一枚のフィルムの両側を折り返した構成でもよい。このようにすれば、折り返し部分が上記実施形態にかかるフィルム片２ａ，２ｂに相当し、折り返し部分と対向する部分が上記実施形態にかかる外フィルム１に相当することとなる。
【００４６】
また、上記実施形態において、外フィルム１と内フィルム２との間にシート状海苔３を配置した状態で、外フィルム１及び内フィルム２の互いの外周縁部を溶着するようにしたが、これに限定されるものではなく、例えば、外フィルム１の短手方向の両端部のそれぞれにフィルム片２ａ，２ｂの他端部を溶着したものであってもよい。つまり、塊状に形成された米飯加工品Ｒを包装するに際し、米飯加工品用包装体を二つ折り状態にして対向する周縁部同士を溶着するので、該米飯加工品用包装体を製造するに際しては、必ずしも外フィルム１と内フィルム２との長手方向の両端部を事前に溶着しておく必要はない。
【００４７】
上記実施形態において、一方のフィルム片２ａの一端部を一回折り返すことで、該一方のフィルム片２ａに嵌込部５を形成するようにしたが、これに限定されるものではなく、例えば、図５に示す如く、一方のフィルム片２ａの一端側を一回折り返し、更に一端部を外側に折り返して他方のフィルム片２ｂ側に開口を有する嵌込部２０を形成するようにしてもよい。この場合、他方のフィルム片２ｂの一端部を前記嵌込部２０に嵌め込む被嵌込部２１とすればよい。
【００４８】
このように構成しても、三角おにぎりＲを包装した際に、嵌込部２０と被嵌込部２１との嵌め合わせにより、何れか一方のフィルム片２ａ，２ｂが他方のフィルム片２ａ，２ｂから離間して隙間が形成されるのを防止することができ、外フィルム１と内フィルム２との間に介装されたシート状海苔３が米飯加工品Ｒ（三角おにぎり）の水分で湿ってしまうのを防止することができる。
【００４９】
さらに、図６に示す如く、一方のフィルム片２ａの一端部に対向するように、帯状フィルム３０を配置するとともに、該一方のフィルム片２ａの一端側（他方のフィルム片２ｂ側）に開口を形成するように該帯状フィルム３０の短手方向の端部を長手方向の全長に亘って一方のフィルム片２ａに貼着（熱溶着等）して、嵌込部３１が一方のフィルム片２ａと帯状フィルム３０との間に形成されるようにし、他方のフィルム片２ｂの一端部を前記嵌込部３１に嵌め込む被嵌込部３２としてもよい。なお、前記帯状フィルム３０は、一方のフィルム片２ａの何れの面に貼着してもよい。このようにしても、上記実施形態と同様の作用、効果を奏することができる。
【００５０】
また、図７に示す如く、帯状のフィルムを短手方向で二つ折りにして構成された折り曲げフィルム４０を、折り曲げ線が一方のフィルム片２ａの一端に沿うように、一方のフィルム片２ａの一端部に対向配置し、一方のフィルム片２ａ対向する折り曲げフィルム４０の一方の片部４１の端部（一方のフィルム片２ａの他端側に位置する端部）を、長手方向の全長に亘って一方のフィルム片２ａに貼着し、前記一方の片部４１と一方のフィルム片２ａとの間に、一方のフィルム片２ａの一端側（他方のフィルム片２ｂ側）に開口を有する嵌込部４２を形成するようにしてもよい。この場合においても、他方のフィルム片２ｂの一端部を前記嵌込部４２に嵌め込む被嵌込部４４とすればよい。このようにしても、上記実施形態と同様の作用、効果を奏することができることは勿論のことである。
【００５１】
その上、カットテープ４，４で外フィルム１を長手方向に切断して外フィルム１を分断し、該分断された一方の外フィルム１（嵌込部４２を有するフィルム片２ａに対応する分断された外フィルム１）を切断方向に対して直交方向に引っ張った際に、折り曲げフィルム４０の他方の片部４３と前記一方の片部４１との対向面が摺接し、該折り曲げフィルム４０の折り曲げ線が他方の片部４３上で変移する。これにより、一対のフィルム片２ａ，２ｂ上に配置された状態で包装された三角おにぎりＲと接触していた折り曲げフィルム４０の他方の片部４３が折り曲げ線側から徐々に離間することとなり、該米飯加工品用包装体を開封するに際し、三角おにぎりＲの形状が崩れるのを防止することができる。
【００５２】
さらに、図８に示す如く、一方のフィルム片２ａの一端部に対向するように、帯状の第一フィルム５０を配置し、該一方のフィルム片２ａの一端側（他方のフィルム片２ｂ側）に開口を形成するように、該第一フィルム５０の短手方向の端部を、長手方向の全長に亘って一方のフィルム片２ａに貼着するとともに、他方のフィルム片２ｂの一端部に対向するように、帯状の第二フィルム５１を配置し、該他方のフィルム片２ｂの一端側（一方のフィルム片２ａ側）に開口を形成するように、該第二フィルム５１の短手方向の端部を、長手方向の全長に亘って他方のフィルム片２ｂに貼着するようにしてもよい。
【００５３】
このようにすれば、一方のフィルム片２ａと第一フィルム５０との間に嵌込部５３を形成することができ、他方のフィルム片２ｂの一端部、或いは他方のフィルム片２ｂの一端側に位置する第二フィルム５１の短手方向の一端部が、一方のフィルム片２ａに形成された嵌込部５３に嵌め込まれる被嵌込部５４とすればよい（図８においては、第二フィルム５１の短手方向の一端部が被嵌込部５４になっている）。
【００５４】
換言すれば、該実施形態においては、一対のフィルム片２ａ，２ｂの何れもが嵌込部を有し、該嵌込部を形成するフィルム片２ａ，２ｂ、第一フィルム５０、又は第二フィルム５１の何れかの一端部が他方のフィルム片２ａ，２ｂの嵌込部に嵌め込まれる被嵌込部になっている。このようにしても、上記実施形態と同様の作用、効果を奏することができる。
【００５５】
【発明の効果】
以上のように、本発明にかかる米飯加工品用包装体は、外フィルムと、該外フィルムと対向した内フィルムとで構成され、外フィルムと内フィルムとの間にシート状海苔を収容可能に構成されてなり、内フィルムは、互いの一端側同士が重なり合うように配置された一対のフィルム片で構成されてなり、少なくとも何れか一方のフィルム片における一端側には、対向面間からなる嵌込部が設けられてなるとともに、他方のフィルム片における一端側には、前記嵌込部に嵌め込まれる被嵌込部が設けられてなるので、塊状に形成された米飯を圧迫しないように包装しても、一対のフィルム片の重ね合わせ部分に隙間が形成されるのを防止することができ、これにより、米飯加工品とともに包装したシート状海苔が湿るのを防止し、シート状海苔本来の食感や味を維持することができる。
【図面の簡単な説明】
【図１】本発明の第一実施形態にかかる米飯加工品用包装体の一部破断部を含む全体斜視図を示す。
【図２】同第一実施形態にかかる米飯加工品用包装体で三角おにぎりを包装した状態の斜視図を示す。
【図３】図２にかかるＡ−Ａ断面図を示す。
【図４】同第一実施形態にかかる米飯加工品用包装体を開封する際の状態図を示す。
【図５】本発明の第二実施形態にかかる米飯加工品用包装体の断面図を示す。
【図６】本発明の第三実施形態にかかる米飯加工品用包装体の断面図を示す。
【図７】本発明の第四実施形態にかかる米飯加工品用包装体の断面図を示す。
【図８】本発明の第五実施形態にかかる米飯加工品用包装体の断面図を示す。
【図９】従来の米飯加工品用包装体の全体斜視図を示す。
【図１０】従来の米飯加工品用包装体で米飯加工品（三角おにぎり）を包装した状態の断面図を示す。
【符号の説明】
１…外フィルム（１ａ…分断後の一方の外フィルム、１ｂ…分断後の他方の外フィルム）、２…内フィルム、２ａ，２ｂ…フィルム片、３…シート状海苔、４…カットテープ（切断手段）５，２０，３１，５３…嵌込部、６，２１，３２，４４，５４…被嵌込部、７…溶着部、８…海苔位置決め溶着部、９…非溶着部、３０…帯状フィルム、４０…フィルム、４１…一方の片部、４２…嵌込部、４３…他方の片部、５０…第一フィルム、５１…第二フィルム
【図１】
2004154064.tif 000003
【図２】
2004154064.tif 000004
【図３】
2004154064.tif 000005
【図４】
2004154064.tif 000006
【図５】
2004154064.tif 000007
【図６】
2004154064.tif 000008
【図７】
2004154064.tif 000009
【図８】
2004154064.tif 000010
【図９】
2004154064.tif 000011
【図１０】
2004154064.tif 000012